(57)【特許請求の範囲】
【請求項１】
番組を記録する番組記録手段と、
該番組記録手段で記録する記録番組の番組情報を記録する番組情報記録手段と、
前記記録番組及び番組情報を再生する番組再生手段と、
現在時刻を取得する時刻取得手段と、
前記記録番組の再生に要する時間を算出する再生時間算出手段と、
前記現在時刻と前記再生時間に基づいて記録番組の再生終了時刻を算出する終了時刻算出手段と、
前記番組情報記憶手段に記憶された番組情報と前記終了時刻算出手段が算出した再生終了時刻を含む番組表を生成し表示する表示制御手段とを具備することを特徴とする記録番組情報処理装置。
【請求項２】
請求項１に記載の記録番組情報処理装置において、
前記表示制御手段は、複数の記録番組についての番組情報を番組毎の再生終了時刻と対応させて表示することを特徴とする記録番組情報処理装置。
【請求項３】
請求項１に記載の記録番組情報処理装置において、
前記表示制御手段は、前記算出された再生に要する時間の長短を、記録番組の番組情報を表示する領域面積の大小によって表現する番組表を生成し表示することを特徴とする記録番組情報処理装置。
【請求項４】
請求項１に記載の記録番組情報処理装置において、
前記番組情報記憶手段は記録番組の再生停止位置を記憶し、前記再生時間算出手段は当該再生停止位置を基準に番組の再生に要する時間を算出することを特徴とする記録番組情報処理装置。
【発明の詳細な説明】
【０００１】
【発明の属する技術分野】
本発明は、急速に大容量化が進むディジタルディスクに、過去の放送番組及び放送番組情報などの映像データをディジタル記録・再生する記録番組情報処理装置に関し、記録番組の再生時間を元に電子番組表（ＥＰＧ：Electronic Program Guide）を直感的に理解しやすく表示する記録番組情報処理装置に関する。
【０００２】
【従来の技術】
過去に記録した記録番組に対して番組表を提供する技術の先行技術としては、特開平１０−４２２４２号公報に記載されたものが知られている。当該公報に記載された技術は、放送信号に重畳して送信される電子番組ガイド（以下、ＥＰＧという）と、記録番組の目次をあらわすＥＰＧとを統合的に扱うために、記録番組の番組表を作成して同一画面に放送予定番組の番組表と記録番組の番組表を統一的に扱い、マルチウィンドウ方式で表示し利用者の操作を容易にする技術である。
【０００３】
【発明が解決しようとする課題】
しかし、特開平１０−４２２４２号公報に記載の技術は記録番組表を作成して表示する装置としての技術にとどまっており、記録番組を再生する装置に適用すると以下のような問題点がある。まず当該公報記載の技術においては、記録番組表の時間軸をどのように表示するのか明らかでない。すなわち、ＶＴＲの所要部分に記録番組情報が記録されているとして、ＶＴＲに記録される再生時間（放送時間）データは、記録当時の時刻もしくは、放送時間の長さと思われるので、記録番組表を表示させた時点の時刻を記録番組表に反映することができない。つまり、記録番組表を表示させたときに再生時間を現在時刻に当てはめて、実時間軸に表示していない。このため、番組表には記録日時を元にした時刻または、何時間何分という記録番組の再生時間長をもとにした番組表が表示されることになり、利用者が混乱する可能性がある。
【０００４】
さらに、当該公報に記載された技術は、記録媒体の先頭部分などの特定部分に記録映像の中身をあらわす目次データを保存しておき、記録番組の番組表を作成するため、記録番組を再生している途中に記録番組の番組表を表示させても、再生前に表示させたのと同様に記録番組のすべてが番組表に記載されてしまう。
たとえば、ある一時間番組を４５分間再生・視聴した時点で当該記録番組の番組表を表示させた場合、その番組は再生に要する残り時間である１５分間が番組表に記載されるべきである。これは、電子番組表（ＥＰＧ）が利用者の番組視聴計画に用いられることを考慮すると当然のことである。しかし、特開平１０−４２２４２号公報に記載された技術は、本来再生装置としての技術ではないために、このような表示方法については全く言及されていない。
利用者は記録番組の大半を視聴完了した状態であるにもかかわらず、記録番組表には記録時間すべてが表示されることになり、すべてを視聴すると何時になるかを知ることができない。
【０００５】
記録番組再生中番組表を表示させた場合だけでなく、記録番組を途中まで再生・視聴して再生を停止した場合にも、同様のことがいえる。すなわち、途中まで記録番組を再生して停止した場合、後に番組表を表示させると、当該記録番組は再生停止した時点の途中から残りが番組表に記載されており、利用者が直感的に残り時間を見てとれるようにするべきであるが、特開平１０−４２２４２号公報に記載された技術は、前記のとおりもともと記録映像が記録されている媒体（ＶＴＲ）に当該記録番組データが保存されており、当該記録番組データの書き換えに関しては全く言及されていないため、たとえ途中まで再生・視聴したとしても、次に番組表を表示させると再び番組全体が表示されてしまい、利用者が正しく視聴計画を立てられないという問題がある。
【０００６】
したがって、本発明は前記したような課題を解決しようとするもので、本発明の目的は、おもに映像の番組を記録・視聴する際、再生時間を時間の長さで表示するのではなく、現在に始まる実時刻で表示することにより、再生番組の視聴終了時刻を直感的に知ることができる記録番組の番組表を提供することである。
また、再生を途中で停止した後の記録番組表や現在再生中の記録番組表を表示させると、すべて再生するのに要する時間から番組の再生・視聴した時間長だけ差し引いた、残り再生時間が表示されることで、より直感的に記録番組を最後まで視聴すると何時になるかを知ることができる番組表を提供することである。
さらに、大容量のディジタルメディアに大量の番組を記録する記録装置において、追加記録可能な時間長のおおよその値を記録番組表に表示することにより、残りどれだけの番組を記録可能かを直感的に知ることができる番組表を提供することである。
【０００７】
【課題を解決するための手段】
本発明の第１技術手段は、番組を記録する番組記録手段と、該番組記録手段で記録する記録番組の番組情報を記録する番組情報記録手段と、前記記録番組及び番組情報を再生する番組再生手段と、現在時刻を取得する時刻取得手段と、前記記録番組の再生に要する時間を算出する再生時間算出手段と、前記現在時刻と前記再生時間に基づいて記録番組の再生終了時刻を算出する終了時刻算出手段と、前記番組情報記憶手段に記憶された番組情報と前記終了時刻算出手段が算出した再生終了時刻を含む番組表を生成し表示する表示制御手段とを具備する記録番組情報処理装置を特徴とする。
【０００８】
第２の技術手段は、第１の技術手段に記載の記録番組情報処理装置において、前記表示制御手段は、複数の記録番組についての番組情報を番組毎の再生終了時刻と対応させて表示することを特徴とする。
【０００９】
第３の技術手段は、第１の技術手段に記載の記録番組情報処理装置において、前記表示制御手段は、前記算出された再生に要する時間の長短を、記録番組の番組情報を表示する領域面積の大小によって表現する番組表を生成し表示することを特徴とする。
【００１０】
第４の技術手段は、第１の技術手段に記載の記録番組情報処理装置において、前記番組情報記憶手段は記録番組の再生停止位置を記憶し、前記再生時間算出手段は当該再生停止位置を基準に番組の再生に要する時間を算出することを特徴とする。
【００１４】
【発明の実施の形態】
以下、本発明の記録番組情報処理装置の実施形態を図面に基づいて説明する。
図１は、本発明の記録番組情報処理装置の外観を示す斜視図であって、本体１０と光学発信式リモートコントローラ１００（以下、リモコンという）から構成されている。
本体１０には番組自体や番組表を表示する表示装置１１を具備しており、記録番組表、映像番組自体など映像出力インターフェースはすべてこの表示部１１を使用する。表示装置１１としては、あらゆる種類の表示装置が使用可能であるが一般的には液晶表示装置が使用される。また、本体１０は、放送信号受信アンテナ１２、電源スイッチ１３、左右のスピーカ１４，１５、光学リモコン用受光部１６、時計１７、持ち運び可能なＤＶＤなどの記憶媒体３０を読込む装置である外部記憶装置１８（ＤＶＤ−ＲＡＭドライブ）を具備する。
なお、本発明の対象とする放送系は、複数の端末が同時に受信可能なインターネットや、ＣＳ放送などの通信系も含まれ、映像放送系のみならず、文字媒体放送系、音声媒体放送系などでも、放送コンテンツと重畳されて電子番組表（ＥＰＧ）が放送される系であれば全て利用可能である。
【００１５】
リモコン１００は、録画開始スイッチ１０１、記録番組表表示スイッチ１０２、記録番組消去スイッチ１０３、及び本体１０の表示装置１１に選択肢が表示された場合に選択用カーソルを移動させるためのカーソル移動スイッチ１０４〜１０７、記録番組再生スイッチ１０８、記録番組再生停止スイッチ１０９を具備しており、利用者が所望の機能を要求する際に押下すると、対応した命令を発光部１１０から送信する。
各要求に対するシステムの動作については後述する。
【００１６】
図２に記録番組情報処理装置のブロック図を示す。受信アンテナ１２によって番組情報信号と番組自体の信号を受信し、それぞれ図示しないチューナで復調した後、利用者が録画開始スイッチ１０１を押下した場合には、番組情報は番組情報記録手段２２が、また番組コンテンツ自体は番組記録手段２１がデータをＭＰＥＧ（Moving Picture Experts Group）２方式で圧縮して、それぞれ外部記憶装置１８によってＤＶＤなどの記録媒体３０に記録する。
【００１７】
表示制御手段２３は、リモコン受光部１６を経て受信したリモコン１００の各種ボタンスィッチ１０１〜１０９の命令にしたがって、現在時刻を時刻取得手段（時計）１７から取得し、番組情報記録手段２２から記録済み番組の番組表を取得し、番組記録手段２１から記録番組を取得する。そして、それぞれのデータから記録番組再生手段２４を用いて記録番組を再生し、再生時間長算出手段２５を用いて再生に要する時間長を算出し、追加書き込み可能時間算出手段２６を用いて追加書き込み可能時間長を算出して、記録番組情報処理装置本体１０の表示装置１１に表示・制御する。
ただし、記録番組再生手段２４は、記録されたＭＰＥＧ２形式の圧縮データを伸張する専用ハードウェアで、再生計時記憶手段２７を用いて再生視聴した時間を管理し、番組情報記録手段２２内に視聴管理ファイルを作成・更新する。以降、表示制御手段２３、再生計時記憶手段２７、記録番組再生手段２４、再生時間長算術手段２５、追加書き込み可能時間算出手段２６、及び記録番組削除手段２８、記録番組情報削除手段２９をまとめてシステムと呼ぶことにする。
【００１８】
次に、図３に基づいて番組を記録する番組記録手段について説明する。
本発明の記録番組情報処理装置は、記録された映像コンテンツを表示・提示する装置であるので、番組を記録する時に、後述する記録番組表表示に備えて、記録番組の番組情報を同時に番組情報記録手段２２に保存する。図３は、装置が記録開始・記録終了の際の動作フローを示す。利用者がリモコン１００の録画開始スイッチ１０１を押下し（ステップ１）、受光部１６より録画命令を受信すると、受信アンテナ１２及び図示しないチューナを介し、番組コンテンツ及び番組情報を取得する（ステップ２）。システムは番組記録手段２１と番組情報記録手段２２を制御して、ＤＶＤなどの外部記憶媒体３０上に、番組コンテンツを圧縮したデータフォーマットで、また番組情報はそのままの形式で記録する（ステップ３）。記録するチャンネルはリモコン１００上のカーソル移動スイッチを用い、すなわち上スイッチ１０４が押下されると受信チャンネルを１チャンネル分増加し、下スイッチ１０５が押下されると逆に１チャンネル分減少させる。
【００１９】
録画開始スイッチ１０１が押下されると、利用者が前記上スイッチ１０４、下スイッチ１０５によって選択受信したチャンネル・番組を記録開始する。この時、システムは選択したチャンネル番号、番組名を電子番組表データフォーマットの所定位置から解読して番組情報記録手段２２に保存し（ステップ３）、時刻取得手段１７から記録開始時刻を取得して、番組情報記録手段２２上に記録する（ステップ４）。これらの記録番組情報は外部記憶媒体３０上に図４にような管理フォーマットファイルを生成して管理する。図４のフォーマットについては後に詳細に説明する。
【００２０】
前記したように、記録を開始したシステムは停止スイッチ１０９が押下されるまで、記録を続ける。システムに記録領域がなくなった場合（ステップ５、ステップ６）、もしくは停止スイッチ１０９が押下された時点で（ステップ５）、時刻取得手段１７から記録終了時刻を取得して（ステップ７）、上記の記録開始時刻を差し引いて記録時間（再生に要する時間長）を図４の記録番組情報管理フォーマットファイルに保存する（ステップ８）。また、当該記録番組のデータサイズを求め、０００１〜９９９９のうちで最も小さい未使用番号をファイル名にして、ともに当該記録番組情報管理フォーマットに保存する（ステップ９、ステップ１０）。
【００２１】
図４は、記録番組情報管理フォーマットファイルの例を示す図である。この表は、記録番組名６４バイト、再生時間４バイト、視聴状況４バイト、開始フレーム８バイト、データサイズ８バイト、ファイル名８バイトの番組あたり９６バイトのテーブルである。また、最終列には各パラメータにＮＵＬＬ文字を付け加える。前記のように、記録番組名は記録開始時点でＥＰＧから取得して記録し、再生時間、データサイズ、ファイル名は記録終了時点で記録する。途中まで再生・視聴した場合の再生時間を表す視聴状況、及び途中で再生停止した場合の次回開始フレーム番号については、再生動作の時にシステムが保存するパラメータであり、図５に基づいて後述する。ちなみに、まだ全く再生視聴していない記録番組に関しては、開始フレームは０００００００１、視聴状況は００時間００分である。
【００２２】
図５は、記録番組の視聴管理手段についての処理フローを示す図である。
利用者が本体１０の表示装置１１に表示された記録番組表（図８）の中からリモコン１００の右スイッチ１０６、左スイッチ１０７を押下して所望の記録番組を選択し、さらに再生スイッチ１０８を押下すると（ステップ２１）、システムは記録番組再生手段２４を制御して、記録番組情報記録手段２２に保存された管理ファイル（図４）から再生開始フレーム番号を取得して、番組記録手段２１から当該記録番組コンテンツを再生する（ステップ２２）。
【００２３】
前記したように、番組記録手段２１に保存された番組コンテンツは例えばＭＰＥＧ２で圧縮されているので、記録番組再生手段２４はＭＰＥＧ２信号を復号化する専用ハードウェアであり、リアルタイムでデコードしてデータを表示制御手段２３に送信し、開始フレームのｋ番フレームから再生・表示し（ステップ２２）、フレームカウンタの値ｋを＋１し、管理ファイルに書き込む（ステップ２３〜２５）。このとき、フレームカウンタｋが現在何枚目のフレームをデコードしたかを計数し、逐次再生計時記憶手段２７に送信する。
再生計時記憶手段２７は記録番組再生手段２４が現在デコードしたＩフレーム番号と、記録番組再生手段２４が番組を再生した時間長を計時し、その結果を番組情報記録手段２２に保存された記録番組管理ファイル（図４）に逐次書き込む。すなわち、ＭＰＥＧ２圧縮方式では、Ｉフレーム、Ｂフレーム、Ｐフレームが存在するが、Ｉフレームは画面全体のキャプチャフレームであるのに対し、Ｂフレーム、Ｐフレームはそれぞれ差分フレームであるので、途中から再生する場合、その地点に最も近いＩフレームから再生するのが効率的である。
【００２４】
当該記録番組を最後まで、すなわち記録終了点まで視聴するか、若しくは利用者によって停止スイッチＳ４が押下されるまで、Ｉフレーム毎にｋを記録番組管理ファイル（図４）に記録する（ステップ２４、ステップ２５）。記録番組を記録終了点まで再生するか、もしくは利用者によってＳ４が押下されると（ステップ２４）、前記ルーチンと同様に最後に再生時間（この場合記録番組全体の再生時間に等しい）と最後にデコードしたフレーム番号を記録番組管理ファイルに書き込んで再生処理を終了する（ステップ２４、ステップ２６）。ちなみに記録番組を記録終了点まで再生した場合は、再生時間と視聴状況の時間が等しくなっている。
【００２５】
図６に基づいて、記録番組表を表示する手段について説明する。
利用者がリモコン１００上の記録番組表表示スイッチ１０２を押下すると（ステップ３１）、システムは図４に示す記録番組管理ファイルを表示制御手段２３が備えるランダムアクセスメモリの適当なバッファ領域に読み込む（ステップ３２）。利用者が記録番組を再生中の場合は、図５に示す処理フローで説明したように、記録番組管理ファイルにはその時点までに再生したフレーム数や再生時間長が記録されている。
【００２６】
ここで、図８に記載されているように、表示装置１１に表示された記録番組表の左端、つまり実時間軸に沿って最も現在に近い部分に表示する番組情報の表示に関して説明する。
現在記録番組を再生中の場合、再生番組を最初に表示する（ステップ３３、ステップ３４）。この時、図４の記録番組管理ファイルのデータから最初にこの再生中番組を表示する（表示フローは図７で後述）。表示後にバッファ上の記録番組管理ファイル（図４）から、当該再生中番組の記録を一列消去し（ステップ３５）、それ以降の記録番組情報を上にシフトする。
現在記録番組を再生中でない場合は、開始日付が最も古い番組を表示する。ここの表示方法も記録番組が再生中である場合と同様に、表示した最も古い記録番組をバッファに読込まれた記録番組管理ファイルから消去し、以降の番組情報を一列上にシフトする（ステップ３６）。ここの表示フローに関しては、図７に示し、後述する。
【００２７】
本システムは記録番組の番組表を再生時間に基づき、記録番組表を表示する時点の現在時刻を取得して、各記録番組は現在時刻を基点とする実時間軸に表示する。そのため、システムはここで現在時刻を時刻取得手段１７から取得して、さらにバッファ上に格納された図４の記録番組管理ファイルのデータから再生時間長を取得して、これらを表示制御装置２３で実時間軸上で加算し、再生終了予定時刻を表示装置１１に表示する。
【００２８】
これらの動作を繰り返し（ステップ３７〜４０）、２つ目以降の記録番組は前記記録番組管理ファイルの列順に１から順にすべて表示する。すべての番組を表示し終わるか、もしくは、記録番組表表示画面（図８）において左端まで表示し終わるまで、すなわち後述する図７の表示フローが求める、表示記録番組の再生終了予定時刻が、記録番組表が表示できる最も未来の時刻Ｔｍａｘ（画面の右端）と等しくなるか、もしくは大きくなるまで表示を繰り返す。
【００２９】
その後、それらの番組について、ファイルサイズの総和から残りデータサイズを求める（ステップ４１）。求め方は極めて単純で、例えばＤＶＤ−ＲＡＭの標準記憶容量である５．２ＧＢから、記録済み番組のファイルサイズの総和を引き算する。次にシステムが上記残りデータサイズから、番組が残り何時間記録できるかを計算する。前記したように、本システムでは画像記録方式としてＭＰＥＧ２方式を採用するので、平均ビットレートが４Ｍｂｐｓで１時間の映像が約３．０ＧＢで記録することができる。この関係を利用すれば、残りデータサイズがＸＧＢであったとすれば、
残り記録可能な時間Ｔ＝Ｘ／３．０（時間）
でおおよその残り記録可能な時間Ｔが求められる（ステップ４２）。ここで、求めたＴの長さをあらわす矩形領域を表示するのは、番組矩形領域を表示するとき（図７）と同様に表示して（ステップ４３）、処理を終了する。
【００３０】
ただし、ＭＰＥＧ２は可変ビットレート方式を採用しており、動きの少ない画面と動きの激しい画面では、自動的にビットレートを変更する。このため残り記録可能な時間Ｔは記録する画像により異なり、正確に求めることは不可能である。しかし本装置では残り記録可能な時間長が１時間なのか、１０時間なのかというおおよその値を求める程度で十分表示の効果がある。
【００３１】
次に、図７に基づいて番組矩形領域を表示する手段について説明する。
図６によって、番組領域、もしくは空き時間領域は、いずれも矩形領域とし、その面積によって再生時間を表現する。まずバッファ領域に読込まれた記録番組管理ファイルから、表示する番組の視聴状況を判断する（ステップ５１）。すなわち、図４に示す記録番組管理ファイルにおける視聴状況が再生時間と等しければ、当該番組を表示せず処理フローを図６へ返す。すなわち、最後まで視聴した番組は記録番組表に表示しない。視聴状況が再生時間と等しくなければ当該番組の残り再生時間を次のようにして算出する（ステップ５２）。
残り再生時間＝（番組再生時間）−（視聴状況）
この残り再生時間から、表示するべき矩形領域のサイズを求める（ステップ５３）。すなわち番組表が表示することができる最長時間をＴ（時間）、番組表の左端から右端の幅をａ（cm）、当該記録番組の再生時間長がｂ（時間）とすると、矩形領域の幅ｗ（cm）は以下のようにあらわすことができる。
ｗ＝ａｂ／Ｔ（cm）
また、矩形領域の高さは一定値ｃ（cm）である。
【００３２】
以上のようにして、矩形領域を求め、表示する記録番組の矩形領域を左詰に表示していく（ステップ５４）。さらに、表示番組が一番左端の番組の場合には番組表における再生開始予定時刻に現在時刻を、それ以外の場合は直前に表示した記録番組の再生終了予定時刻に、表示する番組の再生時間長を加算して、再生終了予定時刻を、矩形部右端の上部に表示する（ステップ５５）。その例が、図８である。また、各番組矩形部、空き領域矩形部の拡大図を図９に示す。すなわち、上記の縦横の長さを持った矩形部で表現し、各矩形領域に、記録番組については番組名、記録開始日付、再生時間長を上から等間隔に記述し、空き領域に関しては図９の用に「空き領域」と残り記録可能時間長を表示する。
【００３３】
最後に、番組コンテンツの消去に伴う処理について図１０に基づいて説明する。  利用者が記録番組を消去すると、当該記録番組情報を記録番組管理ファイルから削除する必要がある。すなわち、記録番組表を表示装置１１に表示した状態で、右スイッチ１０６、左スイッチ１０７によって消去すべき記録番組を選択し、記録番組削除スイッチ１０３を押下すると（ステップ６１）、システムは番組記録手段２１上から、当該番組を消去し（ステップ６２）、それと同時に番組情報記録手段２２上から当該番組情報を記録番組管理ファイル（図４）から、当該番組のエントリをすべて一行削除する（ステップ６３）。
【００３４】
【発明の効果】
以上の記載から明らかなように、本発明によれば、主に映像の番組を記録して視聴する際に、より使い勝手のよい記録番組の番組表を提供することができる。すなわち、請求項１の発明によれば、記録番組表を表示する時点における実時間において、記録番組を最後まで視聴すると何時になるかを直感的に知ることができる。
請求項２の発明によれば、複数の記録した番組を視聴した場合に何時になるかも知ることができる。請求項３の発明によれば、記録番組の再生時間を番組情報を、表示する領域面積の大小によって直感的に知ることができる。また、請求項４の発明によれば、途中まで視聴して再生を停止した記録番組の残りを視聴する場合の再生終了時間を知ることができる。
【００３５】
【図面の簡単な説明】
【図１】記録番組情報処理装置の外観を示す斜視図である。
【図２】記録番組情報処理装置の構成を示すブロック図である。
【図３】番組記録フローを示す図である。
【図４】記録番組管理フォーマットを示す図である。
【図５】再生フローを示す図である。
【図６】記録番組表示フローを示す図である。
【図７】番組領域表示フローを示す図である。
【図８】「記録番組表」表示画面を示す図である。
【図９】該番組表示矩形拡大図である。
【図１０】記録番組情報削除フローである。
【符号の説明】
１０…記録番組情報処理装置本体、１１…表示装置、１２…受信アンテナ、１３…電源スイッチ、１４，１５…左，右スピーカ、１６…リモコン用受光部、１７…時刻取得手段（時計）、１８…外部記憶装置、２１…番組記録手段、２２…番組情報記録手段、２３…表示制御手段、２４…記録番組再生手段、２５…再生時間長算出手段、２６…追加書き込み可能時間算出手段、２７…再生計時記憶手段、２８…記録番組削除手段、２９…記録番組情報削除手段、３０…記憶媒体、１００…リモートコントローラ、１０１…録画開始・終了スイッチ、１０２…記録番組表表示スイッチ、１０３…記録番組削除スイッチ、１０４〜１０７…カーソル移動スイッチ、１０８…再生スイッチ、１０９…停止スイッチ。
【図１】
0004270675.tif 000002
【図２】
0004270675.tif 000003
【図３】
0004270675.tif 000004
【図４】
0004270675.tif 000005
【図５】
0004270675.tif 000006
【図６】
0004270675.tif 000007
【図７】
0004270675.tif 000008
【図８】
0004270675.tif 000009
【図９】
0004270675.tif 000010
【図１０】
0004270675.tif 000011